(57)【要約】【課題】侵入口からの侵入者を撮像して表示できる上に、該画像を記録できるようにしたセキュリティ装置を提供する。【解決手段】不審者を撮像装置２が撮像すると、該画像情報は画像情報変換器３によって送信可能な画像情報に変換された後に、送信器４によって送信される。当該画像情報は受信器４によって受信されて表示手段６に画像を表示すると共に、記録手段７に記録される。該記録手段７に記録された画像は表示手段６に記録できる。【選択図】    図１
2004326680.tif 000002
【特許請求の範囲】
【請求項１】
侵入口の開閉体を開放する者を撮像する撮像装置と、該撮像装置によって撮像された画像情報を送信可能な画像情報に変換する画像情報変換器と、該画像情報変換器から出力された送信可能な画像情報を無線によって送信する送信器と、該送信器から送信された画像情報を受信する受信器と、該受信器で受信された画像情報を映し出す表示手段と、該送信器から送信された画像情報を記録する記録手段とを備えたことを特徴とするセキュリティ装置。
【請求項２】
前記撮像手段は前記開閉体の上端に、フック状の取付具によって取付けられることを特徴とする請求項１に記載のセキュリティ装置。
【請求項３】
前記画像情報変換器は、撮像装置によって撮像された画像情報をブルートゥースの規格に従って送信可能な画像情報に変換することを特徴とする請求項１に記載のセキュリティ装置。
【請求項４】
前記記録手段は、ハードディスクによって構成したことを特徴とする請求項１に記載のセキュリティ装置。
【請求項５】
侵入口の開閉体を開放する者の存在を感知するセンサを備え、前記撮像装置は当該開放する者の存在する時だけ作動することを特徴とする請求項１に記載のセキュリティ装置。
【請求項６】
撮像装置、画像情報変換器、送信器は太陽電池から電力を供給されていることを特徴とする請求項１に記載のセキュリティ装置。
【発明の詳細な説明】
【０００１】
【発明の属する技術分野】
本発明は、不審者の室内への侵入を室内において監視できる上に、家人の留守中における不審者の侵入を帰宅後に確認できるようにしたセキュリティ装置に関するものである。
【０００２】
【従来の技術】
近年、空巣による被害が急増していることから、その防犯のために一般家庭でもセキュリティ装置が利用されている。しかし、現在、一般に利用されているセキュリティ装置は、カメラ装置を玄関付近の適当な場所に設置し、カメラで撮像した画像を室内に置かれたモニタに表示することにより、家人が室内に居ながらにして玄関に居る不審者を監視するものである。又、監視カメラを備えた監視システムも提案されている（特許文献１参照）。
【０００３】
【特許文献１】
特開２００２−１９９３８５号公報
【０００４】
【発明が解決しようとする課題】
しかし、従来のセキュリティ装置は記憶手段を備えていないため、不在の場合に空巣に入られても証拠を残せないという問題があった。又、銀行，店舗，美術館等で使用されているセキュリティ装置はビデオレコーダを備えているため、不審者を記録できるものの、非常に高価であるため一般家庭で使用することは困難であった。
【０００５】
本発明は前記実情に鑑みてなされたもので、その目的は、侵入口からの侵入者を撮像して表示できる上に、該画像を記録できるようにしたセキュリティ装置を提供するものである。
【０００６】
【課題を解決するための手段】
請求項１に記載のセキュリティ装置は、侵入口の開閉体を開放する者を撮像する撮像装置と、該撮像装置によって撮像された画像情報を送信可能な画像情報に変換する画像情報変換器と、該画像情報変換器から出力された送信可能な画像情報を無線によって送信する送信器と、該送信器から送信された画像情報を受信する受信器と、該受信器で受信された画像情報を映し出す表示手段と、該送信器から送信された画像情報を記録する記録手段とを備えたものである。侵入口の開閉体を開放する不審者の画像を室内に置けれた表示装置に表示するため、家人は室内に居ながらにして不審者を監視する上に、当該画像を記録手段に記録するようにしたため、家人の不在の間の不審者の侵入は、家人の帰宅後に当該記録手段に記録された画像を表示手段に表示することにより確認する。
【０００７】
請求項２に記載の発明は、請求項１に記載のセキュリティ装置において、撮像手段は前記開閉体の上端に、フック状の取付具によって取付けられるものである。
【０００８】
請求項３に記載の発明は、請求項１に記載のセキュリティ装置において、画像変換器は、撮像装置によって撮像された画像情報をブルートゥースの規格に従って送信可能な画像情報に変換するものである。このように、送信器の通信仕様としてブルートゥースを用いた場合、低出力の無線で通信が可能である上に、各国の電波当局の許可が不要な２．４５ＧＨｚの帯域が利用される。
【０００９】
請求項４に記載の発明は、請求項１に記載のセキュリティ装置において、記録手段は、ハードディスクによって構成したものである。ハードディスクに記録された画像情報は、パーソナルコンピュータのディスプレイに表示される。
【００１０】
請求項５に記載の発明は、請求項１に記載のセキュリティ装置において、侵入口の開閉体を開閉する者の存在を感知するセンサを備え、撮像装置は当該開閉する者の存在する時だけ作動するものである。このように作動する撮像装置を設けた場合、記録手段の格納領域のスペースを効率良く利用することができる。
【００１１】
請求項６に記載の発明は、請求項１に記載のセキュリティ装置において、撮像装置、画像情報変換器、送信器は太陽電池から電力を供給されているものである。このように構成すれば、これら撮像装置、画像情報変換器、送信器を商用電源に接続するための配線設備が不要となる。
【００１２】
【発明の実施の形態】
図１に示すように、セキュリティ装置１は、撮像装置２と、画像情報変換器３と、送信器４と、受信器５と、表示手段６と、記録手段７とを備える。
【００１３】
図２に示すように、前記撮像装置２は、玄関口や窓のような侵入口８を開閉する玄関ドア等の開閉体９の外側に設けられて、該開閉体９を開放する者を撮像する機器である。該撮像装置２としては、例えば、ＣＣＤカメラが好適である。該撮像手段２は常時作動状態にあっても良いし、或いは、センサ１０を装備することにより、前記開閉体９を開放しようとする者を該センサ１０が感知した時に、作動するようにしても良い。該センサ１０は、人体から発せられる赤外線を受光することにより、前記開閉体９を開放しようとする者，例えば、不審者の存在を認識する構成としても良い。該撮像装置２が撮像した撮像情報は、図１に示すように、コード１１を介して画像情報変換器３に出力される。
【００１４】
図１に示すように、前記画像情報変換器３は前記開閉体９の内側に設けられる。該画像情報変換器３を該開閉体９の上部に設ければ、該画像情報変換器は該開閉体から出入りする際の邪魔にならない。該画像情報変換器３は前記撮像装置２から出力された画像情報を送信可能な画像情報に変換して出力するものである。
該画像情報変換器３は、前記撮像手段２から出力された画像情報をブルートゥースの規格に従って送信可能な画像情報に変換するようにしても良い。該画像情報変換器３によって出力された送信可能な画像情報は、前記送信器４によって出力される。前記画像情報変換器３と前記送信器４とを一つのケース１２内に収容し、該ケース１２と前記撮像手段２とをフック状に曲折した取付具１３の各端部に取付けるようにしても良い。前記ケース１２と前記撮像手段２とをフック状に曲折した取付具１３の各端部に取付けるようにした場合、該取付具１３を前記開閉体９の上端に引っ掛けることにより、撮像手段２の背面が該開閉体９の全面に当接し、前記ケース１２が該開閉体９の後面に当接することにより、撮像手段２，画像情報変換器３及び送信器４は開閉体９から脱落しない。
【００１５】
前記送信器４は電波や赤外線等のような無線の形態で前記画像情報を送信するものである。該送信器４が電波の形態で画像情報を送信する方式である場合には、電波の周波数を可変にすることにより他の機器から発せられる電波との混信を避けることができる。前記撮像装置２，画像情報変換器３，送信器４の動作はマイクロコンピュータ等の制御手段Ｓによって制御される。前記撮像装置２，画像情報変換器３，送信器４は、開閉体９の外側に設けられている太陽電池Ａから電力を供給されるようにすれば、これら撮像装置２，画像情報変換器３，送信器４を商用電源に接続するための配線設備が不要となる。
【００１６】
該送信器４から出力された画像情報は、該送信器４から離間した位置に設けられた受信器５によって受信される。該受信器５によって受信された画像情報は、記録手段７に出力され、又、コード１４によって表示手段６に出力される。該記録手段７はパーソナルコンピュータＰのハードディスクによって構成できるが、パーソナルコンピュータＰに内臓の他のメモリによって構成することもできる。
更に、該記録手段７に記憶された画像情報は、該表示手段６、或いは、別に設けられた表示手段（図示せず）に表示できるものである。
【００１７】
前記表示手段６は、パーソナルコンピュータＰ等のディスプレイが該当する。
該パーソナルコンピュータＰは室内に設置することができる。又、該表示手段６は、図３に示す携帯電話機１５のディスプレイで構成することもできる。該表示手段６を携帯電話機１５のディスプレイで構成した場合、前記画像情報変換器３によって送信可能に変換された画像情報は、携帯電話回線を介して携帯電話機１５のディスプレイに表示することができる。
【００１８】
前記受信器５，表示手段６，記録手段７の作動及び携帯電話機１５への画像情報の送信は、該ハードディスクに格納されている監視用プログラムに基づきパーソナルコンピュータＰが制御するものである。即ち、パーソナルコンピュータＰは受信器５によって受信された画像情報を、監視用プログラムに基づき表示手段６に表示し、記録手段７に記録し、更に、当該記録手段７に記録されている画像情報を必要に応じて表示手段６に表示する上に、必要に応じて当該画像情報を携帯電話機１５に送信するものである。
【００１９】
次に、作用について説明する。図２に示すように、不審者が玄関ドア等の開閉体９を開放したとすると、図４のステップＳ１において、センサ１０がこの不審者の存在を感知して撮像手段２を作動させる。該撮像手段２は、ステップＳ２において不審者を撮像して画像情報を出力する。次に、ステップＳ３において該画像情報は図１に示す画像情報変換器３によって送信可能な画像情報に変換され、ステップＳ４において送信器４から送信される。
【００２０】
送信器４から送信された画像情報はステップＳ５において受信器５で受信されて、表示手段６に表示され、又、記録手段７に記憶される。家人は表示手段６を目視することにより、室内に居ながらにして開閉体９を開放した不審者の存在を監視できる。
【００２１】
ところで、家人が不在であって、家人が、表示手段６に表示された画像によっては不審者の室内への侵入を監視できない場合には、パーソナルコンピュータの監視用プログラムを家人が帰宅してから起動し、記録手段７に記憶されている不審者の画像を表示手段６に表示することにより、家人の不在の間における不審者の侵入をステップＳ６において確認することができる。又、不在の場合に空巣に入られた場合に、記録手段７に記録されている画像を空巣に入られたことの証拠とすることができる。
【００２２】
前記送信器４と受信器５との間の通信仕様としてブルートゥースを用いた場合、低出力の無線で通信が可能である上に、各国の電波当局の許可が不要な２．４５ＧＨｚの帯域を利用することができる。
【００２３】
【発明の効果】
以上説明したように本発明によれば、侵入口の開閉体を開放する不審者の画像を室内に置けれた表示装置に表示するようにしたため家人が室内に居ながらにして不審者を監視できる上に、当該画像を記録手段に記録するようにしたため、家人の不在の間の不審者の侵入を当該記録手段に記録された画像を表示手段に表示することにより確認することができる。
【図面の簡単な説明】
【図１】本発明の実施形態を示す構成図である。
【図２】玄関ドアに取付けられた撮像装置を玄関ドアの前側から見た状態を示す斜視図である。
【図３】本発明の実施形態に用いられる携帯電話の正面図である。
【図４】本発明の実施形態の作用を説明するフローチャートである。
【符号の説明】
１  セキュリティ装置
２  撮像装置
３  画像情報変換器
４  送信器
５  受信器
６  表示手段
７  記録手段
８  侵入口
９  開閉体
１０  センサ
Ａ  太陽電池
【図１】
2004326680.tif 000003
【図２】
2004326680.tif 000004
【図３】
2004326680.tif 000005
【図４】
2004326680.tif 000006